(57)【要約】【課題】  小型の画像形成装置に対して、オプションユニットを装着するのみで両面印字可能な装置として構成可能とし、前記オプションユニットの構成を簡素化して、省スペース化を実現可能とする。【解決手段】  画像形成装置１の装置本体２の一側部には、手差しトレイ２５の他に、オプションユニット５０を着脱可能に構成している。前記オプションユニット５０には反転搬送路５５を設けて、装置本体２に装着した状態で、排出路２０と反転搬送路５５、および、用紙搬送路の下部の合流部７とがそれぞれ接続される。また、前記オプションユニット５０の本体フレーム内部のリヤ側の余裕部には、搬送ローラ装置６０等に対する駆動機構と、制御機構とを収容させることで、騒音源が装置のフロント側に配置されない。【選択図】          図３
2005112605.tif 000002
【特許請求の範囲】
【請求項１】
片面記録済み用紙を裏面の記録に向けて戻し方向に搬送する反転搬送路と、
前記反転搬送路内で用紙を搬送する搬送手段とを有する反転搬送装置であって、
前記反転搬送装置の用紙搬送方向に直交する一方側で、前記搬送手段を駆動するための駆動源を配置し、
前記反転搬送装置の他方の側で、前記搬送手段に駆動力を伝達するための駆動力伝達手段の一部を配置したことを特徴とする反転搬送装置。
【請求項２】
前記反転搬送路内で用紙を搬送する搬送手段が搬送ローラ装置であり、
前記駆動力伝達手段の一部は、搬送ローラ軸であることを特徴とする請求項１に記載の反転搬送装置。
【請求項３】
前記駆動源を含む電装品を、装置の一方側にのみ配置することを特徴とする請求項１または２に記載の反転搬送装置。
【請求項４】
前記装置の一方側が、装置のリヤ側であることを特徴とする請求項３に記載の反転搬送装置。
【発明の詳細な説明】
【技術分野】
【０００１】
本発明は、用紙の両面に画像の記録が可能な画像形成装置において、片面記録済み用紙を裏面の記録に向けて戻し方向に搬送する反転搬送装置に関し、特に、反転搬送装置の構成を簡略化できて、小型の装置に容易に組み合わせできる装置に関する。
【背景技術】
【０００２】
用紙の片面に印字可能な画像形成装置に対して、反転搬送ユニットを組み合わせて設けることにより、両面記録可能な装置として構成することは、従来より多くの例が知られている。例えば、反転搬送装置を１つのユニットとして構成したものを、小型の画像形成装置の記録紙排出部と、下部の給紙部との間を接続するような反転搬送路を接続させて組み合わせて、片面記録用紙を反転させて給紙部に戻し、次に記録部を通す際に、用紙の裏面側に記録できるように装置として構成されたものも知られている。前記用紙反転ユニットにおいては、片面コピー用紙を搬送する反転路での搬送手段と、用紙を反転させて裏面の記録に向けて案内するための、反転機構とを組み合わせて設けている。そのために、片面印字機能を有する小型の画像形成装置に対して、その一方の側に用紙反転ユニットを位置決めして取付けるのみで、用紙搬送路を接続するとともに、装置本体とオプションユニットとの間で、用紙搬送作用を容易に行い得るように設けられる（例えば、特許文献１を参照）。
【特許文献１】特開２００１−２０６６４６号公報
【発明の開示】
【発明が解決しようとする課題】
【０００３】
前記従来例の用紙反転ユニットを、装置本体の側部に組み合わせて装着する場合においても、そのユニットに設けている搬送ローラ装置等の駆動のために、装置本体の駆動源とは別体の駆動伝達系統が設けられている。しかしながら、前記反転ユニットを小型の画像形成装置の側部に組み合わせて設けるためには、その接続部には、用紙検知センサやカバー開閉検知センサ等を、装置本体の制御装置に対して接続する手段を各々設けることが必要となる。その他に、反転ユニットのフレームの内部では、用紙搬送路の一側部に駆動源と駆動力伝達系統等を配置することが必要とされる。
【０００４】
その他に、前記センサ類からの検知情報と、装置本体からの動作の信号に応じて、反転ユニットに配置している各機構の動作を制御するための制御基板等を設けることで、電装部材とそれに接続する配線が複雑化するという問題もある。さらに、前記反転ユニットと装置本体の間では、その信号の伝達や給電のために用いるハーネスが長くなるという問題もあり、それ等の装置・機構と配線とを複雑に組み合わせて設けると、反転ユニットの側部に大きな収容部分を設ける必要が生じて、装置の小型化・省スペース化を達成することができないという問題が発生している。
【０００５】
本発明は、片面記録済み用紙を給紙部に戻す反転ユニットにおいて、反転搬送装置の一側部に駆動機構を配置して、ユニットを小型化・省スペース化が可能な装置を提供することを目的としている。
【課題を解決するための手段】
【０００６】
本発明は、片面記録済み用紙を裏面の記録に向けて戻し方向に搬送する反転搬送路と、前記反転搬送路内で用紙を搬送する搬送手段とを有する反転搬送装置に関する。
請求項１の発明は、前記反転搬送装置の用紙搬送方向に直交する一方側で、前記搬送手段を駆動するための駆動源を配置し、
前記反転搬送装置の他方の側で、前記搬送手段に駆動力を伝達するための駆動力伝達手段の一部を配置したことを特徴とする。
【０００７】
請求項２の発明は、前記反転搬送路内で用紙を搬送する搬送手段が搬送ローラ装置であり、前記駆動力伝達手段の一部は、搬送ローラ軸であることを特徴とする。
請求項３の発明は、前記駆動源を含む電装品を、装置の一方側にのみ配置することを特徴とする。
請求項４の発明は、前記装置の一方側が、装置のリヤ側であることを特徴とする。
【発明の効果】
【０００８】
前述したように構成したことにより、装置本体に組み合わせて装着するオプションユニットには、用紙を搬送するためのガイド機構と、搬送ローラ装置、駆動源等を一体に設けることができて、その構成をコンパクトなものとすることができる。また、装置を片面記録仕様、両面記録仕様のいずれの装置として構成する場合でも、装置の基本構成が共通のものを使用可能とするので、部材の共通化を図り得て、低コスト、省スペース化を可能にする。さらに、両面記録のためのオプションユニットを装備するに際して、その駆動源等の騒音を発生しやすい部材を、装置本体のリヤ側に集中して配置できるので、装置から発生する騒音を閉じ込めることができる。
【発明を実施するための最良の形態】
【０００９】
以下に説明する実施例においては、小型の片面記録可能な画像形成装置を、その基本的な構成を有するものとし、その装置本体の側面に対してオプションユニットを取付けるのみで、両面記録可能な装置を容易に構成可能なものとしている。また、前記画像形成装置の装置本体としては、以下に説明するような小型の画像形成装置のみを対象とするものではなく、任意の公知の画像形成装置を対象として構成することも可能である。そして、前記オプションユニットとしては、図示するような構成を有するものを基本とするが、その他に、対象とする装置本体の用紙搬送路の位置等に応じて、オプションユニットの用紙搬送路（反転路）の構成や、搬送ローラ装置等の配置位置等を変更することも可能である。なお、以下に説明する画像形成装置としては、一般的な複写機やプリンタとしての機能のみを有する装置の他に、ファクシミリ装置（ＦＡＸ）の機能と組み合わせて、複合機として構成される装置を対象とすることも可能であるが、記録紙を作成する機構のみに本発明の要旨があることから、以下の説明においては、用紙搬送機構の構成に関して主として説明する。
【実施例】
【００１０】
図示される例にしたがって、画像形成装置の構成を説明する。図１に示す画像形成装置１は、電子写真方式を用いて記録紙を作成可能な装置として構成されているものであり、記録部を設けた装置本体２の上部に、原稿の画像の読取りを行う画像読取装置３０を組み合わせて設けている。前記画像形成装置１の装置本体２には、その最下部に給紙トレイ３を設けて、給紙ローラ４により用紙を記録部に向けて給紙可能に構成している。また、装置本体２の下部に、１つ又は複数の給紙トレイ等を装備した給紙装置を、別個に組み合わせて設け、その給紙部にサイズの異なる用紙を収容することで、オペレータの要求に容易に対応可能なものとすることもできる。
【００１１】
前記装置本体２の一方の側面側に配置される用紙搬送路５に対応させて、給紙部の上部には記録部１０を設けており、前記記録部で用紙にトナー画像を記録したものを、その上部に設けている定着装置１８を通して定着し、記録紙を排出トレイ２２に排出させる。前記記録部１０の下部では、給紙トレイ３から給紙ローラ４により１枚ずつ分離され、送り出されてくる用紙を、用紙搬送路の合流部７の位置で、レジストローラ装置６により停止させるように設けている。前記レジストローラ装置６では、感光体ドラム１１に形成されるトナー画像にタイミングを合わせて、用紙を送り出すような作用を発揮するが、その他に、前記用紙の先端部をローラのニップ位置に突き当てて整合し、用紙が記録部で斜め送り状態で搬送されないように制御する。
【００１２】
前記記録部１０には、感光体ドラム１１の周囲に、帯電手段１２と書込み手段１３、現像装置１６と、転写手段１４、クリーナ１５等を、所定の配列関係にしたがって設けている。前記記録部１０に配置する感光体ドラム１１に対しては、任意の放電手段、例えば、コロトロン１２からの放電により、感光体ドラム１１の表面を一様に帯電させ、その後に、原稿を走査した光の情報を書込み装置１３から照射して、感光体ドラムの表面に静電潜像を形成する。そして、現像装置１６の給紙ローラ１７から、前記静電潜像に対してトナーを供給してトナー画像として可視像化し、そのトナー画像を用紙に転写する。前記トナー画像を用紙に転写する位置では、用紙を感光体ドラムと転写ローラ１４との間で挟むようにして搬送しながら、前記転写ローラに対して所定の値の電圧を印加することにより、トナー画像を用紙に移転させることは、従来の一般的な電子写真方式を用いた画像形成装置の場合と同様にして行われる。
【００１３】
前記トナー画像が転写された用紙は、その上部に設けられる定着装置１８に送られて、熱ローラ１９の熱で溶融されたトナーを、用紙の背後から押圧ローラ１９ａにより押圧して、用紙に定着させるもので、一般的な熱ローラ方式の定着装置と同様な定着作用が行われる。前述したようにして定着された用紙は、排出路２０を通って排出ローラ装置２１により排出トレイ２２に送り出され、複数の記録紙が連続して排出される状態では、その画像面を下に向けた状態で順次重ねられる。なお、前記排出ローラ装置２１は、装置本体２が片面記録装置として構成される場合には、一方にのみ駆動されるように、駆動系統が構成される。これに対して、以下に説明するように、装置本体２が両面記録が可能な装置として構成されるものである場合には、前記搬送ローラ装置２１は正逆回転が可能なように、図示を省略する駆動装置に接続されて、片面記録用紙を反転搬送路を通して給紙部に戻すような動作を行わせるが、そのための装置の構成に関しては、後で詳細に説明する。
【００１４】
また、前記装置本体２の用紙搬送路５が配置される側の側部、つまり、図の右側の側部には、手差しトレイ２５を設けており、前記手差しトレイ２５に対応させて、装置本体２の内部では、給紙ローラ２９を設けておき、用紙搬送路を合流部７にまで形成している。前記手差しトレイ２５はトレイ本体２６に対して、第２トレイ部材２７を揺動可能に設けており、大サイズの用紙を給紙する際には、第２トレイ２７を大きく広げた状態で行うようにする。また、前記手差しトレイ２５は、装置本体に対してヒンジ部２８を介して揺動可能に設けており、それを使用しない場合には、装置本体の側面に立て掛ける状態で収容可能に設けている。
【００１５】
前記装置本体２の上部には、画像読取装置３０を設けており、読取装置３１のフレーム３２の内部で、走査装置３５を図の左右方向に移動可能に設けている。前記読取装置３１のフレーム３２の上部には、フラットベッドスキャナ（ＦＢＳ）に対応する大プラテン３３と、自動原稿搬送装置（ＡＤＦ）に対応させた小プラテン３４とを設けている。そして、プラテン３３にセットしたブックものの原稿に対しては、走査装置３５を所定の速度で移動させながら、読取りの動作を行わせる。また、ＡＤＦ機能を用いて読取りを行う場合には、走査装置３５を小プラテン３４の位置に停止させた状態で、ＡＤＦ４１の原稿搬送路４５内を搬送される原稿の読取りを行うようにする。
【００１６】
前記読取装置３１のフレーム３２内で移動可能に設けられる走査装置３５は、図示を省略する駆動機構により、定速で往復移動可能に設けられており、ＦＢＳ機能を用いてプラテン３３上にセットした原稿の読取りを行うようにされる。前記走査装置３５には、その移動フレームの上部にランプ３６を備え、フレームの内部には、多数のミラー３７を所定の角度で光を反射するように組み合わされて配置されており、光を反射する光路の長さを所定の長さになるよう構成される。そして、前記多数のミラー３７……により反射された光を、レンズ３８を介して光電変換手段としてのＣＣＤ３９に結像させて、前記ＣＣＤにより画像の光をデジタル信号として変換し、感光体ドラムに直接伝達すること、または、ＦＡＸ装置の画像送信機能を用いて、他のＦＡＸ装置に向けて送信させる等の任意の利用方法に対処可能にする。
【００１７】
前記読取装置３１の上部で、大プラテン３３に対して開閉可能に設けられている上部装置４０は、画像読取装置３０のフレーム３２のリヤ側に、図示を省略するヒンジ部材を介してフロント側が大きく開かれるように、開閉可能に支持されている。前記上部装置４０には、ＡＤＦ４１の機能と、原稿排出トレイ４８とプラテンカバーを兼ねた板部材が、一体に形成されている。前記ＡＤＦ４１としては、従来公知の装置と同様に、原稿トレイ４２と、横向きの略Ｕ字状に形成された原稿搬送路４５と、原稿搬送路４５の終端部に位置される排出トレイ４８とから構成される。
【００１８】
そして、前記排出トレイ４２にセットされた原稿は、ピックアップローラ４３により取り出されて、用紙さばき装置４４により１枚ずつに分離され、搬送ローラ装置４６により定速で搬送され、小プラテン３４の下部に停止されている走査装置３５により画像の読取りが行われる。読取りが終了した原稿は、排出ローラ装置４７により排出トレイ４８に向けて送り出されるが、前記原稿トレイ４２にセットした原稿が順次送られながら、読取りの動作が継続される。なお、前記画像読取装置３０による原稿の画像読取りの動作は、画像形成装置のコントロールパネルに入力、または選択された操作情報により行われるものである。つまり、記録紙の用紙サイズの選択や、縮拡率の設定の情報等の、オペレータが選択した情報にもとづいて、読取装置による画像の読取りの動作が行われ、記録紙の作成や、ＦＡＸ機能を用いた画像送信の情報として用いられるようにする。
【００１９】
前述したように構成された画像形成装置１において、装置本体２の側部には、両面記録のための補助手段（用紙反転搬送機構）としてのオプションユニット５０を、必要に応じて装着可能に構成している。まず、前記オプションユニットを装備しない状態で、片面記録のみが可能な画像形成装置として構成される場合には、図２に示すように、装置本体２の側面には、余裕空間部９が形成されている状態であるから、その空間部９に対して手差しトレイ２５を収容させるようにする。したがって、前記手差しトレイ２５を使用しない場合には、装置本体の側部の空間部９は、手差しトレイ２５の本体部の底板の部分が、その側面開口部を塞ぐ状態におかれる。そして、前述したような状態で、装置本体の給紙部から送り出される用紙に、記録部でトナー画像を転写して、記録紙を作成する動作を継続することができる。
【００２０】
前記装置本体２の空間部に対してオプションユニット５０を取付けて、両面記録可能な装置を構成する場合には、図３に示すように、本体フレーム５１を装置本体２の側部に装着するが、前記本体フレーム５１を取り付けるためには任意の接続手段を用いることができる。また、前記オプションユニット５０を装置本体２に装着して、両面記録紙を作成可能な装置とした場合には、オプションユニット５０の反転搬送路５５に向けて片面記録済み用紙を反転搬送する必要があることから、排出路２０の端部に設けた排出ローラ装置２１は、正逆搬送ローラとして構成されることになる。つまり、前記オプションユニット５０を組み込む際に、装置本体の駆動伝達系統では、排出ローラ装置２１に対して正逆方向に、駆動を切換可能な駆動伝達機構を設け、装置のコントロールパネルに入力した制御情報にもとづいて、片面記録済み用紙をオプションユニットに向けて戻す動作を行わせ、その他の条件で作成された記録紙に対しては、排出トレイに向けて排出させるように、その用紙の搬送の動作と、用紙搬送装置に対する制御の動作を行わせるのである。
【００２１】
記オプションユニット５０には、反転搬送路５５を挟むようにして、本体フレーム５１と内側フレーム部材５７とを組み合わせて配置しており、その２つの部材５１、５７の間に設けられる反転搬送路５５は、外ガイド面５６と内ガイド面５６ａにより規定される。前記オプションユニット５０の内側フレーム部材５７は、図示されるように、装置本体２の空間部９の内側の壁としての役目も有するブロック部材９ａに対して、内側フレーム部材５７の端部を組み合わせるように取付けることで、装置本体２に取付けられる。なお、前記オプションユニット５０を装置本体２の側面に装着した状態では、手差しトレイ２５は完全に立て掛ける状態で閉じられないが、通常の操作の邪魔にならないように、側面に沿わせて保持できるようにする。
【００２２】
前記オプションユニット５０は、必要とする画像形成装置にのみに装着できるのであるから、装置本体２の駆動・制御手段とに対しては、信号伝達や給電等の系統が接続されたのみで、その動作を行うことができるように構成される。前記図３のオプションユニット５０を装置本体２側から見た状態では、図４に示すように構成されるもので、その本体フレーム５１の（内側）表面が、反転搬送路５５の外ガイド面として作用するように設けられる。なお、前記外ガイド面５６には、用紙搬送方向に平行に多数のリブが突出するように形成されるが、前記リブは図示を省略している。前記反転搬送路５５には、所定の間隔をおいて、２つの搬送ローラ装置６０、６２を設けており、片面記録済み用紙を搬送する際に、前記搬送ローラ装置６０、６２が駆動される。
【００２３】
前記オプションユニット５０の本体フレーム５１には、前記用紙搬送路部分の両側、つまり、装置本体２のリヤ側とフロント側との両側部に対応させた位置に、余裕部分５２、５２ａを各々設けている。前記装置本体のリヤ側に形成している余裕部５２には、前記搬送ローラ装置６０、６２に対する駆動装置６５を設けており、モータ６５ａと減速伝導機構６６および、２つの搬送ローラ装置６０、６２の間での、駆動力伝導のための伝導部材６７とを組み合わせて設けている。なお、前記伝導部材６７としては、図に鎖線で示すように、装置のフロント側の余裕部５２ａに設けることも可能であり、その機構としては、ローラ軸６１、６３の端部に設けたプーリ６４、６４ａに対して、伝導ベルト６７を掛け渡しても良い。
【００２４】
前記オプションユニット５０を装置本体２に対して装着し、反転搬送路５５でジャムが発生した時に、前記オプションユニット５０を開いてジャム処理を行い得るようにするために、例えば、オプションユニット５０の下部に設けた軸支部５３、５３ａを、装置本体２に設けた本体支軸５４、５４ａに対して軸支させることができる。そして、前記軸支手段を用いて、オプションユニット５０の上部を大きく開き得るように構成した場合には、反転搬送路５５内でのジャム処理の動作を容易に行うことが可能となる。また、前記オプションユニット５５の下部を軸支させるようにして装置本体２に取付けた場合には、図３に示すように、手差しトレイ２５がオプションユニット５０の外側に、別個の軸を介して揺動可能に設けられていることから、前記手差しトレイ２５が邪魔して、オプションユニット５０を開き得る角度が制限されるという不都合がある。しかしながら、前記オプションユニット５０の開閉に際して、角度が制限されることを除いては、装置の操作性には支承が生じることがない。
【００２５】
前記オプションユニット５０のリヤ側余裕部５２は、比較的大きな空間部として構成されているものであるから、前記駆動装置６５のみを収容しても、大きなスペースが残ることになる。そこで、前記リヤ側余裕部５２に対して、前記駆動装置６５のモータに対する給電のための電源手段の他に、用紙検知センサ、カバー開閉検知センサ、それ等のセンサや電源の制御のための制御基板等を、制御装置収容部６８の部分に配置することが可能である。前述したように、電源装置や制御手段等をオプションユニット５０のリヤ側に配置するように構成したことにより、装置本体２の制御装置に接続する信号伝達系統のハーネス等が、複雑に長く絡み合ったりして配置されることがなくなる。そして、前記装置本体２とオプションユニット５０の間で、各々のリヤ側に設けられた必要最小限度のハーネス等が、短い接続経路を介して接続される状態となること、および、駆動伝統機構のような騒音の発生源が、装置のリヤ側にまとめられることで、画像形成装置を配置するオフィスの環境を、騒音の影響から守ることが可能になる。
【００２６】
前述したような構成を有するオプションユニット５０を装置本体２の側部に装着した状態では、図３に説明したように、反転搬送路５５の上部が装置本体の排出路に接続される。また、前記反転搬送路５５の下部がブロック部材９ａの下部から、レジストローラ装置６による整合位置まで接続されて、反転搬送経路を構成することになる。そして、定着装置１８を通って作成された片面記録済み用紙が、ゲート２３の下面の案内面を通って、排出路２０の終端部に位置されている排出ローラ装置２１でその用紙の終端部がニップされて、ゲートの部分を通過し終えたタイミングで、前記排出ローラ装置２１を逆方向に駆動する。
【００２７】
そして、片面記録済み用紙をゲート２３の上のガイド面を通して、オプションユニット５０の反転搬送路５５に向けて案内し、反転搬送路５５内の搬送ローラ装置６０、６２により下部に向けて搬送し、用紙搬送路５の下部の合流部７を通して、レジストローラ装置６のニップ部に用紙の先端部を挿入して停止させる。その後に、搬送ローラ装置６２により追加の送り作用を付与することにより、用紙にループを形成させて、前記用紙の先端部をレジストローラ装置６に対して均一に押圧させるようにして、先端部の整合作用を行って待機させる。
【００２８】
前述したようにして、片面記録済み用紙を待機させている状態で、記録部１０に対して次の画像の情報が伝達され、感光体ドラム１１に対する帯電、書込み、現像の動作が順次行われる。その動作の途中で、感光体ドラム１１に形成されるトナー画像の先端部の情報に応じて、前記レジストローラ装置６が駆動開始されて、片面記録済み用紙を感光体ドラムからのトナー画像転写部に向けて給紙する。そして、用紙の背後から転写ローラにより押圧しながら、所定の値の電位を印加し、感光体ドラムのトナー画像を用紙に転写させてから、定着装置１８で定着することで、両面記録紙が作成されるので、その用紙はそのまま排出ローラ装置２１により排出トレイ２２に排出される。
【００２９】
前述したように、定着装置１８の上部で、用紙の案内を行うゲート装置２３には、例えば、その軸２３ａに対してトーションスプリングのような、一方に付勢する弱い付勢手段を設けておくことで、定着装置１８から排出される用紙により、ゲート部材２３を揺動させて通過を許容する。そして、用紙が通過し終えると、自動的に排出路２０と反転搬送路５５とを接続するように動作させ、片面記録済み用紙を戻す際の案内をスムーズに行い得るようにすると良い。股値前記ゲート部材の揺動の動作を制御するためには、従来公知のゲート切り換え機構を適宜適用することも可能である。
【００３０】
前記本発明の実施例として説明した画像読取装置は、ＡＤＦとＦＢＳ機能を複合した装置であるが、前記走査装置としては、ＦＢＳ機能のみを有する小型の読取装置として構成しても良い。また、前記画像形成装置において、用紙搬送装置と記録部との構成は、前記本発明の目的を逸脱しない範囲で、任意に構成した装置を対象とすることが可能であり、特に、実施例に説明した機構の装置に限定するものではない。その他に、前記オプションユニットに設ける駆動装置等は、遮音が容易に行われ得るものであれば、装置のフロント側に配置するような手段を用いることも可能であることは勿論のことである。したがって、前述したような片面記録済み用紙を戻す動作を行う用紙搬送機構を用いることにより、装置の構造を簡素化できるとともに、良好な画質の画像情報を得ることが可能である。
【図面の簡単な説明】
【００３１】
【図１】画像形成装置の構成を示す説明図である。
【図２】オプションユニットを設けない状態の説明図である。
【図３】装置本体の側部にオプションユニットを装着した状態の説明図である。
【図４】反転路側から見たオプションユニットの構成を示す説明図である。
【符号の説明】
【００３２】
１    画像形成装置、  ２    装置本体、  ３    給紙トレイ、  ５    搬送路、
６    レジストローラ装置、  ７    合流部、  １０    記録部、
１１    感光体ドラム、  １２    帯電コロトロン、  １３    書込み装置、
１４    転写ローラ  ５    クリーナ、  １６    現像装置、  １７    現像ローラ、  １８    定着装置、  ２０    排出路、  ２１    排出ローラ装置、
２２    排出トレイ、  ２３    ゲート、  ２５    手差しトレイ、
２６    トレイ本体、  ２７    第２トレイ、  ２８    ヒンジ、
２９    給紙ローラ、  ３０    画像読取装置、３１    読取装置、
３２    フレーム、  ３３・３４    プラテン、  ３５    走査装置、
３６    ランプ、３７    ミラー、  ３８    レンズ、  ３９    ＣＣＤ、
４０    上部材、    ４１    ＡＤＦ、  ４２    原稿トレイ、
４３    ピックアップローラ、  ４４    用紙さばき装置、  ４５    原稿搬送路、
４６    搬送ローラ装置、  ４７    排出ローラ装置、  ４８    排出トレイ、
５０    オプションユニット、  ５１    本体フレーム、  ５２    余裕部、
５３    下部軸支部、  ５４    本体支軸、  ５５    反転搬送路、
５６    ガイド面、  ５７    内側フレーム部材、  ６０・６２    搬送ローラ装置、  ６５    駆動装置、  ６８    制御装置収容部。
【図１】
2005112605.tif 000003
【図２】
2005112605.tif 000004
【図３】
2005112605.tif 000005
【図４】
2005112605.tif 000006